(57)【要約】【課題】従来の装置よりも小型化が可能、かつ少なくとも２つのＲＦＩＤプロトコルＩＳＯ１５６９３、ＩＳＯ１４４４３に対して切り替え操作なしにデータの読出しが可能なＩＣタグリーダ携帯通信端末を提供する。【解決手段】プロトコルを特定するプロトコルＩＤが予め決められた順番で並べられた組を１つ以上記憶するメモリ１６と、いずれかのプロトコルＩＤの組の指定をユーザに可能とする操作入力部１３と、指定されたプロトコルＩＤの組の先頭から順にプロトコルＩＤをメモリ１６から読み出して出力するコントローラ１２と、切り替えて接続可能な複数の回路であって、上記のプロトコルＩＤの組によって特定される全プロトコルのそれぞれで、非接触通信を可能とするように組み合わせることができる回路を有し、コントローラ１２から入力されたプロトコルＩＤに応じて回路を切り替えて接続し非接触通信を行う非接触リーダ部１１と、を備える構成を有している。【選択図】図２
0003142941.tif 000002
【実用新案登録請求の範囲】
【請求項１】
ＲＦＩＤプロトコルを特定するＲＦＩＤプロトコルＩＤが予め決められた順番で並べられた組を１つ以上記憶するメモリと、
いずれかの前記ＲＦＩＤプロトコルＩＤの組の指定を含む所定の操作入力をユーザに可能とする操作入力部と、
指定された前記ＲＦＩＤプロトコルＩＤの組の先頭から順に前記ＲＦＩＤプロトコルＩＤを前記メモリから読み出して出力するプロトコル適応コントローラと、
切り替えて接続可能な複数の回路であって、前記メモリに格納された前記ＲＦＩＤプロトコルＩＤの組のうちのいずれか１つ以上の組によって特定される全ＲＦＩＤプロトコルのそれぞれで、非接触通信を可能とするように組み合わせることができる回路を有し、前記プロトコル適応コントローラから入力された前記ＲＦＩＤプロトコルＩＤに応じて前記回路を切り替えて接続し非接触通信を行う非接触リーダ部と、を備えることを特徴とするＩＣタグリーダ携帯通信端末。
【請求項２】
所定の情報を表示するディスプレイを備え、
前記メモリが、所定のＲＦＩＤプロトコルとＲＦＩＤプロトコルＩＤとを対応付けて記憶し、
前記プロトコル適応コントローラが、前記メモリが記憶するＲＦＩＤプロトコルを前記ディスプレイに表示させ、前記操作入力部を介して指定されたＲＦＩＤプロトコルに対応する前記ＲＦＩＤプロトコルＩＤを前記メモリから抽出して、優先的に前記非接触リーダ部に出力することを特徴とする請求項１に記載のＩＣタグリーダ携帯通信端末。
【請求項３】
前記プロトコル適応コントローラが、前記操作入力部を介して指定された前記ＲＦＩＤプロトコルＩＤの組に対して、特定される全てのＲＦＩＤプロトコルで非接触通信によってデータが読み出されないとき、前記ＲＦＩＤプロトコルＩＤの組によって特定される全てのＲＦＩＤプロトコルを前記ディスプレイに表示させることを特徴とする請求項１又は請求項２に記載のＩＣタグリーダ携帯通信端末。
【請求項４】
前記プロトコル適応コントローラが、前記操作入力部を介したデータ読み出しの操作があったとき、使用地域に応じて予め決められた前記ＲＦＩＤプロトコルＩＤの組を前記メモリから読み出して、ＲＦＩＤプロトコルＩＤを順番に前記非接触リーダ部に出力することを特徴とする請求項１乃至請求３項のいずれか一項に記載のＩＣタグリーダ携帯通信端末。
【考案の詳細な説明】
【技術分野】
【０００１】
本考案は、それぞれ異なる規格に準拠して動作する複数のＲＦＩＤタグからデータを読み出すためのＩＣタグリーダ携帯通信端末に関する。
【背景技術】
【０００２】
ＲＦＩＤ（Radio
Frequency IDentification）タグは、トレーサビリティ等の利便性の観点から、配達、輸送等において使用され普及しつつある。しかしながら、近年の地域毎の規格（所謂プロトコル。以下、ＲＦＩＤプロトコルという。）の相違は、これらのＲＦＩＤタグの利用の妨げともなりかねない。具体的には、欧米ではＩＳＯ１５６９３が主流となりつつあり、日本ではＩＳＯ１４４４３等が有望視されている。
【０００３】
従来、それぞれ異なるＲＦＩＤプロトコルで動作する複数のＲＦＩＤタグ部を内蔵するＲＦＩＤタグ（以下、複数内臓ＲＦＩＤタグという。）が知られている（例えば、特許文献１参照。）。特許文献１には、複数内臓ＲＦＩＤタグからのデータの読み出しのために、ＲＦＩＤプロトコル毎のＩＣタグリーダを１台の装置内に設けることが示唆されている。
【特許文献１】特開２００７−３３４７０３号公報
【考案の開示】
【考案が解決しようとする課題】
【０００４】
しかしながら、特許文献１に記載の従来のＲＦＩＤリーダライタ装置では、装置の大規模化、操作性の低下等が生じてしまうという問題を有していた。これは、ＲＦＩＤプロトコル毎にＩＣタグリーダを設け、ＲＦＩＤプロトコルを検出する必要があるからである。
【０００５】
以上の現状に鑑み、本考案の目的は、従来のＲＦＩＤリーダ装置よりも小型化が可能であり、かつ少なくとも２つのＲＦＩＤプロトコルＩＳＯ１５６９３、ＩＳＯ１４４４３に対して切り替え操作なしにデータの読出しが可能なＩＣタグリーダ携帯通信端末を提供する。
【課題を解決するための手段】
【０００６】
上記の課題を解決すべく、本考案は以下の構成を提供する。
請求項１に係る考案は、ＲＦＩＤプロトコルを特定するＲＦＩＤプロトコルＩＤが予め決められた順番で並べられた組を１つ以上記憶するメモリと、いずれかの前記ＲＦＩＤプロトコルＩＤの組の指定を含む所定の操作入力をユーザに可能とする操作入力部と、指定された前記ＲＦＩＤプロトコルＩＤの組の先頭から順に前記ＲＦＩＤプロトコルＩＤを前記メモリから読み出して出力するプロトコル適応コントローラと、切り替えて接続可能な複数の回路であって、前記メモリに格納された前記ＲＦＩＤプロトコルＩＤの組のうちのいずれか１つ以上の組によって特定される全ＲＦＩＤプロトコルのそれぞれで、非接触通信を可能とするように組み合わせることができる回路を有し、前記プロトコル適応コントローラから入力された前記ＲＦＩＤプロトコルＩＤに応じて前記回路を切り替えて接続し非接触通信を行う非接触リーダ部と、を備えることを特徴とする。
【０００７】
請求項２に係る考案は、請求項１に記載のＩＣタグリーダ携帯通信端末において、所定の情報を表示するディスプレイを備え、前記メモリが、所定のＲＦＩＤプロトコルとＲＦＩＤプロトコルＩＤとを対応付けて記憶し、前記プロトコル適応コントローラが、前記メモリが記憶するＲＦＩＤプロトコルを前記ディスプレイに表示させ、前記操作入力部を介して指定されたＲＦＩＤプロトコルに対応する前記ＲＦＩＤプロトコルＩＤを前記メモリから抽出して、優先的に前記非接触リーダ部に出力することを特徴とする。
【０００８】
請求項３に係る考案は、請求項１又は請求項２に記載のＩＣタグリーダ携帯通信端末において、前記プロトコル適応コントローラが、前記操作入力部を介して指定された前記ＲＦＩＤプロトコルＩＤの組に対して、特定される全てのＲＦＩＤプロトコルで非接触通信によってデータが読み出されないとき、前記ＲＦＩＤプロトコルＩＤの組によって特定される全てのＲＦＩＤプロトコルを前記ディスプレイに表示させることを特徴とする。
【０００９】
請求項４に係る考案は、請求項１乃至請求項３のいずれか一項に記載のＩＣタグリーダ携帯通信端末において、前記プロトコル適応コントローラが、前記操作入力部を介したデータ読み出しの操作があったとき、使用地域に応じて予め決められた前記ＲＦＩＤプロトコルＩＤの組を前記メモリから読み出して、ＲＦＩＤプロトコルＩＤを順番に前記非接触リーダ部に出力することを特徴とする。
【考案の効果】
【００１０】
請求項１に係る考案によれば、ＲＦＩＤプロトコルを特定するＲＦＩＤプロトコルＩＤが予め決められた順番で並べられた組を１つ以上記憶するメモリと、いずれかのＲＦＩＤプロトコルＩＤの組の指定を含む所定の操作入力をユーザに可能とする操作入力部と、指定されたＲＦＩＤプロトコルＩＤの組の先頭から順にＲＦＩＤプロトコルＩＤをメモリから読み出して出力するプロトコル適応コントローラと、切り替えて接続可能な複数の回路であって、メモリに格納されたＲＦＩＤプロトコルＩＤの組のうちのいずれか１つ以上の組によって特定される全ＲＦＩＤプロトコルのそれぞれで、非接触通信を可能とするように組み合わせることができる回路を有し、プロトコル適応コントローラから入力されたＲＦＩＤプロトコルＩＤに応じて回路を切り替えて接続し非接触通信を行う非接触リーダ部と、を備えるため、従来のＲＦＩＤリーダ装置よりも小型化が可能であり、かつ少なくとも２つのＲＦＩＤプロトコルＩＳＯ１５６９３、ＩＳＯ１４４４３に対して切り替え操作なしにデータの読出しが可能なＩＣタグリーダ携帯通信端末を実現することができる。
【００１１】
請求項２に係る考案によれば、上記請求項１の効果に加えて、所定の情報を表示するディスプレイを備え、メモリが、所定のＲＦＩＤプロトコルとＲＦＩＤプロトコルＩＤとを対応付けて記憶し、プロトコル適応コントローラが、メモリが記憶するＲＦＩＤプロトコルをディスプレイに表示させ、操作入力部を介して指定されたＲＦＩＤプロトコルに対応するＲＦＩＤプロトコルＩＤをメモリから抽出して、優先的に非接触リーダ部に出力するため、ＲＦＩＤプロトコルが既知の場合、これを入力することによって作業能率を向上させることができる。
【００１２】
請求項３に係る考案によれば、上記請求項１又は請求項２の効果に加えて、プロトコル適応コントローラが、操作入力部を介して指定されたＲＦＩＤプロトコルＩＤの組に対して、特定される全てのＲＦＩＤプロトコルで非接触通信によってデータが読み出されないとき、ＲＦＩＤプロトコルＩＤの組によって特定される全てのＲＦＩＤプロトコルをディスプレイに表示させるため、他のＲＦＩＤプロトコルへの切り替えの判断を容易にすることができ、もって作業性を向上させることができる。
【００１３】
請求項４に係る考案によれば、上記請求項１乃至請求項３のいずれか一項の効果に加えて、プロトコル適応コントローラが、操作入力部を介したデータ読み出しの操作があったとき、使用地域に応じて予め決められたＲＦＩＤプロトコルＩＤの組をメモリから読み出して、ＲＦＩＤプロトコルＩＤを順番に非接触リーダ部に出力するため、操作入力の簡略化が可能である。
【考案を実施するための最良の形態】
【００１４】
以下、実施例を示した図面を参照しつつ本考案の実施の形態について説明する。
図１は、本考案によるＩＣタグリーダシステムの一実施例を模式的に示すブロック構成図である。本発明によるＩＣタグリーダシステムは、インターネット等のネットワーク１００を介して相互に通信可能に接続された、物品３に付されたＲＦＩＤタグ４から所定の格納情報を読み出すＩＣタグリーダ携帯通信端末１と、物品３の詳細についての情報(以下、物品詳細情報という。)を管理する物品情報管理サーバ２と、を備える。
【００１５】
ここで、物品３は輸送される機械類、電気電子情報機器類、精密機械、輸送用機器等をいい、輸送用機器はさらに車両、パレット、ケース、小荷物等をいうものとする。ＩＣタグリーダ携帯通信端末１は、基地局１０１を介してネットワーク１００に接続可能になっている。
【００１６】
ＲＦＩＤタグ４は例えば１７６ｂｙｔｅ等の記憶容量の不揮発メモリを有し、この不揮発メモリは所定の複数の記憶領域を有する。第１の記憶領域には、例えば、ネットワーク１００上の物品情報管理サーバ２のアドレス(以下、サーバアクセス情報という。)が書き込まれる。第２の記憶領域には、例えば、物品３を特定する情報(以下、物品ＩＤという。)が書き込まれる。この物品ＩＤを介して、ＩＣタグリーダ携帯通信端末１のユーザは、上記の物品詳細情報を取得可能となっている。第１の記憶領域と第２の記憶領域については、所定の権限の下でのみ書込み、消去及び変更が許可されるのでもよい。
【００１７】
図２は、本考案によるＩＣタグリーダ携帯通信端末の一実施例を模式的に示すブロック構成図である。ＩＣタグリーダ携帯通信端末１は、図２に示すように、ＲＦＩＤタグ４から格納情報を読み出す第１の構成ユニット１１、１２と、通常の携帯通信端末機能等を有する第２の構成ユニット１３〜１７と、を備える。
【００１８】
第１の構成ユニットは、ＲＦＩＤタグ４と非接触通信を行って格納情報を読み出す非接触リーダ部１１と、ＲＦＩＤプロトコルを特定する情報（以下、ＲＦＩＤプロトコルＩＤという。）を非接触リーダ部１１に出力するプロトコル適応コントローラ１２と、を備える。ここで読み出される格納データとしては、
【００１９】
非接触リーダ部１１は、例えば磁束結合又は電磁結合用のアンテナを介して非接触通信、即ち、パッシブタグに電力供給して行う通信、アクティブタグとの通信等が実現可能となっている。このために、非接触リーダ部１１は、所定のＲＦＩＤプロトコル毎に非接触通信を行うための信号発生回路、給電回路、制御回路、検波回路等を有する。
【００２０】
ただし、所定の複数ＲＦＩＤプロトコルに対して併用可能な上記の各回路については、代表となる回路が残され他の回路が削除されることは好ましい。これらの回路は、プロトコル適応コントローラ１２から入力されるＲＦＩＤプロトコルＩＤに応じて、切り替えられて接続される。検波回路からは、ＲＦＩＤタグ４から読み出した格納情報がプロトコル適応コントローラ１２に出力される。
【００２１】
プロトコル適応コントローラ１２は、ＲＦＩＤプロトコルＩＤを非接触リーダ部１１に出力して、非接触通信のための回路を切替え接続するプロトコル制御を行う。ここで、プロトコル制御に使用されるＲＦＩＤプロトコルＩＤは、複数のＩＤが所定の順番で組となってメモリ１５に予め格納されている。また、ＲＦＩＤプロトコルＩＤの組は、複数であってもよく、以下複数とする。
【００２２】
プロトコル適応コントローラ１２は、これらの組のうちのいずれかを指定可能とするため、例えば組の特定情報（以下、組ＩＤという。）をディスプレイ１５に表示する。プロトコル適応コントローラ１２は、また、必要に応じて先頭から１つ以上のＲＦＩＤプロトコルＩＤを組ＩＤに対応させて表示するのでもよい。組ＩＤが指定された場合、プロトコル適応コントローラ１２は、非接触リーダ部１１を介して非接触通信が実現される迄、非接触通信の不能を検知する毎に、この組内の順番にプロトコル制御を行うものとする。
【００２３】
なお、プロトコル適応コントローラ１２は、操作入力部１３を介して指定されたＲＦＩＤプロトコルＩＤを優先的に非接触リーダ部１１に出力するのでもよい。この指定は、例えば、メモリ１５が記憶するＲＦＩＤプロトコルを、プロトコル適応コントローラ１２がディスプレイ１５に表示させることによって可能になるのでもよい。この場合、プロトコル適応コントローラ１２は、操作入力部１３を介して指定されたＲＦＩＤプロトコルに対応するＲＦＩＤプロトコルＩＤをメモリから抽出して出力するように構成される。
【００２４】
なお、予め、使用される地域、国、領域等に応じたＲＦＩＤプロトコルＩＤがデフォルトで高い優先順位となるように配置されているのでもよい。これによって、ユーザは、ＲＦＩＤプロトコルを意識することなくＲＦＩＤタグ４からデータを読み出すことができる。また、事前にＲＦＩＤプロトコルが知られている場合、上記のようにして既知のＲＦＩＤプロトコルＩＤの入力も可能となる。
【００２５】
第２の構成ユニット１３〜１７は、操作入力、データ入力等を可能にする操作入力部１３と、所定の制御、処理等を行う制御処理部１４と、所定のデータを表示可能なディスプレイ１５と、所定のデータを記憶するメモリ１６と、基地局１０１とネットワーク１００を介した通信を可能にする端末側通信部１７と、を備える。
【００２６】
操作入力部１３は、携帯通信端末における通常の操作入力の他に、ＲＦＩＤプロトコルＩＤの組の組ＩＤの指定、ＲＦＩＤプロトコルＩＤの入力、ＲＦＩＤタグ４からの格納情報の読み出し開始等の操作、その他の操作入力が可能となっている。また、操作入力部１３を介して、メモリ１６に格納されたＲＦＩＤプロトコルＩＤの順番が変更可能になっているのでもよい。
【００２７】
ディスプレイ１５は、通常の表示機能を有し、これ１５には、例えば、指定対象の組ＩＤ、操作入力部１３を介して入力されたＲＦＩＤプロトコルＩＤ等のデータが表示される。ディスプレイ１５には、また、読み出したサーバアクセス情報及び物品ＩＤ、データ読出し不能を示す通知、対応するＲＦＩＤプロトコルＩＤ等が表示される。
【００２８】
メモリ１６は、上記の組ＩＤとＲＦＩＤプロトコルＩＤの組とを対応付けて記憶する。ここで、ＲＦＩＤプロトコルＩＤは、ＲＦＩＤプロトコルと対応付けられて格納されている。メモリ１６は、また、デフォルトでＲＦＩＤプロトコルＩＤの組が指定可能な場合、この組を特定するデフォルトＩＤを記憶する。
【００２９】
このように構成されたＩＣタグリーダ携帯通信端末１は、以下のように動作する。まず、操作入力部１３を介したＲＦＩＤタグ４からのデータ読出しの操作入力を、制御処理部１４が検知する。このデータ読出しの操作入力が検知されたとき、制御処理部１４は、この検知信号（以下、データ読出し検知信号という。）をプロトコル適応コントローラ１２に出力する。
【００３０】
ここで、上記のデータ読出しの操作入力には、組ＩＤ等の所定の情報が、添付可能となっている。ここで、組ＩＤ以外に、特定のＲＦＩＤプロトコルＩＤ等も添付可能となっている。添付された情報（以下、読出し添付情報という。）は、制御処理部１４を介してプロトコル適応コントローラ１２に出力される。
【００３１】
次に、プロトコル適応コントローラ１２は、データ読出し検知信号が制御処理部１４から入力されたとき、読出し添付情報が添付されているか否かを判断する。読出し添付情報が添付されている場合、プロトコル適応コントローラ１２は、読出し添付情報に従って、ＲＦＩＤプロトコルＩＤをメモリ１６から読み出す。
【００３２】
ここで、読出し添付情報が組ＩＤのとき、プロトコル適応コントローラ１２は、組ＩＤで指定されたＲＦＩＤプロトコルＩＤの組の先頭のＲＦＩＤプロトコルＩＤから順にメモリ１６から読み出して非接触リーダ部１１に出力する。読出し添付情報がＲＦＩＤプロトコルＩＤのとき、プロトコル適応コントローラ１２は、このＲＦＩＤプロトコルＩＤを非接触リーダ部１１に出力する。読出し添付情報がないとき、プロトコル適応コントローラ１２は、デフォルトＩＤの先頭のＲＦＩＤプロトコルＩＤから順にメモリ１６から読み出して非接触リーダ部１１に出力する。
【００３３】
次に、非接触リーダ部１１は、入力されたＲＦＩＤプロトコルＩＤでの非接触通信を可能とするように回路接続を行う。ただし、このように接続された回路が既に準備されている場合、その回路が指定される。非接触リーダ部１１は、次に、ＲＦＩＤタグ４から非接触通信を介してサーバアクセス情報と物品ＩＤを読み出す。
【００３４】
ここで、非接触リーダ部１１は、ＲＦＩＤタグ４からのデータ読出しのために、ＲＦＩＤプロトコルＩＤに従って所定の動作（以下、読出し動作という。）を行う。非接触リーダ部１１は、読出し動作でサーバアクセス情報と物品ＩＤを読み出すことができたとき、読み出したこれらの情報をプロトコル適応コントローラ１２に出力する。読出し動作でデータ読出しができないとき、非接触リーダ部１１は、この旨を示す読出し不能信号をプロトコル適応コントローラ１２に出力する。
【００３５】
次に、プロトコル適応コントローラ１２は、非接触リーダ部１１から読出し不能信号が入力されたとき、次のＲＦＩＤプロトコルＩＤをメモリ１６から読み出して非接触リーダ部１１に出力する。ここで、読出し添付情報がＲＦＩＤプロトコルＩＤに対する読出し不能信号が入力されたとき、プロトコル適応コントローラ１２は、データ読出しが完了しないことをディスプレイ１５にする。
【００３６】
プロトコル適応コントローラ１２は、また、所定の組の最後のＲＦＩＤプロトコルＩＤに対する読出し不能信号を受信したとき、データ読出しが完了しないことをディスプレイ１５にする。このとき、プロトコル適応コントローラ１２は、この組のＲＦＩＤプロトコルＩＤで特定される全てのＲＦＩＤプロトコルを更に表示するのでもよい。
【００３７】
次に、プロトコル適応コントローラ１２は、非接触リーダ部１１を介して非接触リーダ部１１からサーバアクセス情報と物品ＩＤが入力されたとき、これらの情報をメモリ１６に格納する。次に、プロトコル適応コントローラ１２は、端末側通信部１７を介して、上記で格納されたサーバアクセス情報の物品情報管理サーバ２にアクセスし、物品ＩＤを送信する。
【００３８】
ここで、物品情報管理サーバ２は、ＩＣタグリーダ携帯通信端末１によってアクセスされたとき、添付された物品ＩＤに対する物品詳細情報を検索し、ＩＣタグリーダ携帯通信端末１が閲覧可能となる態様で送信する。プロトコル適応コントローラ１２は、送信された物品詳細情報をディスプレイ１５に表示させる。ＩＣタグリーダ携帯通信端末１のユーザは、操作入力部１３を介して、ディスプレイ１５に表示された画面をスクロールする等によって、物品詳細情報を閲覧可能となる。
【００３９】
図３は、本考案によるＩＣタグリーダシステムの他の実施例を模式的に示すブロック構成図である。図３に示すＩＣタグリーダシステムにおいては、ネットワーク１００上に、物品３を配達する配達業者の配達業者サーバ５が新たに接続されている。
【００４０】
配達業者サーバ５は、物品３の配達に関する情報（以下、物品配達情報という。）を格納する物品配達情報データベース５１と、アクセスに応答して所定の制御を行い、物品配達情報を提供可能な制御処理部５２と、必要に応じて行う本人認証を行う認証部５３と、配達業者のＩＣタグリーダ携帯通信端末１との通信を可能とする業者側通信部５４と、を備える。
【００４１】
ここで、メモリ１５には、配達業者サーバ５のアドレスが格納されているものとする。また、配達に先立ち、配達される物品毎、配達毎等に物品配達情報が業者側で作成され、配達物品ＩＤと対応付けられて物品配達情報データベース５１に格納されているものとする。この配達物品ＩＤは、対応する物品３に付されたＲＦＩＤタグ４の書込み可能な第３のアドレスに格納される。
【００４２】
ここで、物品配達情報には、配達品、配達先名、配達先住所、配達先電話番号、配達期限、依頼者名、依頼者住所、依頼者連絡先等の情報が含まれる。また、遠方、海外等への配達の場合、物品配達情報には、港、空港等の輸送施設、輸送機関名、便名、輸送の年月日、時間等が必要に応じて含まれる。
【００４３】
以下、図３に示す実施例におけるＩＣタグリーダ携帯通信端末１の動作について説明する。まず、プロトコル適応コントローラ１２が、ユーザの操作に応じて、非接触リーダ部１１を制御して上記の第３の記憶領域に書き込まれた配達物品ＩＤをＲＦＩＤタグ４から読み出す。次に、プロトコル適応コントローラ１２が、メモリ１５に格納された配達業者サーバ５のアドレスを読み出し、端末側通信部１７を介してアクセスし、配達物品ＩＤに対応する物品配達情報を取得する。これによって、業者は、配達対象の物品３の配達先、他の輸送の必要性等を知得可能になり、荷物の引渡し引継ぎ等における利便性の向上が可能となる。
【産業上の利用可能性】
【００４４】
本発明によるＩＣタグリーダ携帯通信端末は、機械、電気機器、精密機械等の輸送される物品、パレット、ケース、小荷物、輸送車両等に取り付けられた異なるＲＦＩＤプロトコルに準じたＲＦＩＤタグからの情報を読み取り可能とし、輸送産業、電子部品製造業、情報通信機器製造業等において利用可能である。
【図面の簡単な説明】
【００４５】
【図１】本考案によるＩＣタグリーダシステムの一実施例を模式的に示すブロック構成図である。
【図２】本考案によるＩＣタグリーダ携帯通信端末の一実施例を模式的に示すブロック構成図である。
【図３】本考案によるＩＣタグリーダシステムの他の実施例を模式的に示すブロック構成図である。
【符号の説明】
【００４６】
１  ＩＣタグリーダ携帯通信端末
２  物品情報管理サーバ
３  物品
４  ＲＦＩＤタグ
５  配達業者サーバ
１１  非接触リーダ部
１２  プロトコル適応コントローラ
１３  操作入力部
１４  制御処理部
１５  ディスプレイ
１６  メモリ
１７  端末側通信部
２１  物品詳細情報データベース
２２  制御処理部
２３  通信部
５１  物品配達情報データベース
５２  制御処理部
５３  認証部
１００  ネットワーク
１０１、１０２  基地局
【図１】
0003142941.tif 000003
【図２】
0003142941.tif 000004
【図３】
0003142941.tif 000005